(57)【要約】【課題】入浴や水中リハビリテーションに最適な介護用ジャケットを提供する。【解決手段】柔軟な独立気泡体の素材で、前身ごろ１１と後身ごろ１２と後襟部１３と後頭部保護カバー１４とを一体に形成した介護用ジャケット１０であって、前身ごろ１１の浮力を大きくし、後身ごろ１２は、脇１２ｗから肩部１２ｋかけてショルダーベルト状１２ｂとし、後頭部保護カバー１４は、頭部を包むように湾曲し、後襟部１３の裏側から後頭部保護カバー１４にかけて浮き枕１７を配置し、この浮き枕１７または、その近傍に水抜き孔１８を設けてなる。【選択図】図１
2005034486.tif 000002
【特許請求の範囲】
【請求項１】
柔軟な独立気泡体の素材で、前身ごろと後身ごろと後襟部と後頭部保護カバーとを一体に形成した介護用ジャケットであって、前身ごろの浮力を大きくし、後身ごろは、脇から肩部かけてショルダーベルト状とし、後頭部保護カバーは、頭部を包むように湾曲し、後襟部の裏側から後頭部保護カバーにかけて浮き枕を配置し、この浮き枕またはその周辺に水抜き孔を設けたことを特徴とする介護用ジャケット。
【請求項２】
上記前身ごろを二重構造とし、その内部に空気袋または柔軟な独立発泡体からなる浮力増大部材を挿脱可能にしたことを特徴とする請求項１に記載の介護用ジャケット。
【請求項３】
上記前身ごろの下端と後襟部に着衣を安定させるベルトを着脱自在に設けたことを特徴とする請求項１または２に記載の介護用ジャケット。
【請求項４】
上記前身ごろの下端を連続した状態で、左・右に開閉可能にしたことを特徴とする請求項１乃至３のいずれかに記載の介護用ジャケット。
【請求項５】
上記後頭部保護カバーの顔の両側に位置する縁部分の浮力を、後頭部が接する部分の浮力より大きくしたことを特徴とする請求項１乃至４のいずれかに記載の介護用ジャケット。
【発明の詳細な説明】
【技術分野】
【０００１】
この発明は身体障害者の入浴や水中リハビリテーションに最適なジャケットに関する。
【背景技術】
【０００２】
水難救助用のライフジャケットとしては一定数の改善提案が行われているが、身体障害者の入浴や水中リハビリテーション用のジャケットに関する先行技術情報を最近数年間について検索したところ全くヒットしなかった。
【０００３】
水難用のライフジャケットに関する先行技術情報の一つとして特許文献１があるが、その技術内容は「左右の前身ごろの上部には、左右に離間した位置おいて、前身ごろの内側縁部を気密接着部の内側位置で補強する補強ベルトの延長によって前面から裏面に渡る救助用ベルトを設け」たもので、ジャケット全体が空気袋になったものである。また、この他にジャケット全体を空気袋にするのに代えて柔軟な独立気泡体のシートで作られたものが一般的である。
【特許文献１】特開２００３−１７０８４号公報（要約）
【発明の開示】
【発明が解決しようとする課題】
【０００４】
上記従来技術のライフジャケットを身体障害者の入浴や水中のリハビリテーションに適用しようとすると次のような問題が生ずる。第一に、使用者自らが姿勢を修正することができないこと、第二に、頭部を自らの意思で保持（位置変更）できないこと、第三に介護者の介護なしに入浴やリハビリテーションができないことである。
【０００５】
上記のような使用者の状況のもとで、入浴や水中リハビリテーションの介護をする場合、介護者に大きな負担をかけ、腰、腕、肩などを痛めることとなる。また、使用者は、身体を自由に動かせることができないので着付ける（着付けさせる）のが困難である。
【０００６】
また、入浴介護をする場合、ジャケットを着せると身体を洗い難くなり、シャンプーの濯ぎ洗いが困難で濯ぎ洗いが不十分になる。また、使用者が足を滑らして倒れたとき頭部を保護するものがないなどの問題がある。
【０００７】
上記従来技術の問題に鑑みこの発明は、介護者にできるだけ負担をかけないで入浴や水中リハビリテーションをできるようにし、容易にジャケットを着付けられるようにすること、また、入浴介護をする場合、被介護者の身体をできるだけ充分に洗えるようにし、充分に濯ぎ洗いができ、また、頭部を保護するようにした介護用ジャケットを提供することを課題とする。
【課題を解決するための手段】
【０００８】
上記課題を解決するためにこの発明は、柔軟な独立気泡体の素材で、前身ごろと後身ごろと後襟部と後頭部保護カバーとを一体に形成した介護用ジャケットであって、前身ごろの浮力を大きくし、後身ごろは、脇から肩部かけてショルダーベルト状とし、後頭部保護カバーは、頭部を包むように湾曲し、後襟部の裏側から後頭部保護カバーにかけて浮き枕を配置し、この浮き枕またはその近傍に水抜き孔を設けたもので、より詳しくは、上記前身ごろを二重構造とし、その内部に柔軟な独立発泡材からなる浮力増大分材を着脱可能にし、上記前身ごろの下端と後襟部に着衣を安定させるベルトを着脱自在に設け、上記前身ごろの下端を連続した状態で、左・右に開閉可能にし、上記後頭部保護カバーの顔面両側に位置する縁部分の浮力を、後頭部が接する部分の浮力より大きくしたものである。
【発明の効果】
【０００９】
前身ごろと、後頭部保護カバーの両側縁部の浮力を大きくすることにより起き上がりこぼしの作用を示して使用者がうつ伏せにならず、前身ごろの下端を連続した状態で広げられるようにすることにより浮力を失わず胸部を洗い易くし、後身ごろをショルダーベルト状とすることにより着付けが容易になり、フリーサイズとすることができ、背中を洗い易くし、後頭部保護カバーを湾曲させることにより使用者の頭部が安定し、浮き枕または、その近傍に水抜き孔を設けることにより頭部・頸部を洗ったあとの濯ぎ洗いが容易になり、浮き枕を設けることにより使用者は楽な姿勢となる。また、サイズを小さくして乳幼児用とするならば子育て未経験のものが安心して乳幼児を風呂に入れることができる。
【発明を実施するための最良の形態】
【００１０】
次にこの発明の実施の形態を、図面を参照しながら説明する。この発明の介護用ジャケット１０は、柔軟な独立気泡体の表面に布を張り合わせた素材（以下、素材という）を、前身ごろ１１と後身ごろ１２と後襟部１３と後頭部保護カバー１４とを一体に形成したものであって、前身ごろ１１は二重構造として襟開き部分１１ａから前身ごろの合わせ部分１１ｂにかけて開口部１５設け、二重構造の内部には、浮き袋１６を出し入れ可能にして前身ごろ１１全体の浮力を大きくしている（図４参照）。なお、上記浮き袋に代えて柔軟な独立発泡体のシートとすることもできる。
【００１１】
後身ごろ１２は、脇部１２ｗから肩部１２ｋかけてショルダーベルト状１２ｂとし、後頭部保護カバー１４は、頭部を包むように湾曲し、後襟部１３の裏側から後頭部保護カバー１４にかけて、管状の独立発泡素材からなる浮き枕１７を配置し、この浮き枕１７に水抜き孔１８を設けている（図３参照）。なお、この水抜き孔１８は浮き枕１７の近傍に設けることもできる。
【００１２】
上記後襟部１３には、ベルト１９ａと係止具２０ａが、前身ごろ１１の下端１１ｅには、ベルト１９ｂと係止具２０ｂを着脱可能に設けて、着付けたジャケット１０が動かないようにし、上記前身ごろ１１の下端を連続した状態で、左・右に開くことができるようにしている。
【００１３】
上記後頭部保護カバー１４の上縁にはジッパー２１が取り付けられ、この部分を開いて別素材シート２２を挿入可能にしている。
【００１４】
上記別素材シート２２は、顔の両側に位置する部分１４ｓの肉厚を大きくして、この部分の浮力を大きくするならば水中での頭部の安定をよくすることができる。
【００１５】
次にこのジャケットの使用状態について説明する。図５および図６（ａ），（ｂ）を参照しながら説明する。図５は水中のリハビリテーションの状態を示し、頭部は水面から浮き上がり、頸部は、浮き枕１７で支持されて安定し、前身ごろ１１と後頭部保護カバーの縁１４ｓは浮力を大きくしているので仰向けになった状態で安定している。
【００１６】
もし、何らかの理由で使用者が図６（ａ）のようにうつ伏せになったときは、前身ごろ１１の浮力が大きくなっているので、起き上がりこぼしの作用が働き、図６（ｂ）のように仰向けになる。
【００１７】
また、入浴の介護をするときは、前身ごろ１１の下端が繋がったままで胸元を大きく開くようにしているので浮力を失わずに胸元が洗い易く、背中の方はショルダーベルト状１２ｂになって大きく開いているので洗い易い。
【００１８】
頸部から後頭部を洗うときは後頭部保護カバー１４との間に手を差し入れて洗うことができ、濯ぎ洗いをするときは水抜き孔１８からシャンプーを含んだ水を排出することができる。
【００１９】
また、被介護者が後に倒れたときは後頭部保護カバー１４でもって損傷を最小限に止めることができる。また、このジャケットのサイズを小さくして乳幼児に適用するならば、子育ての経験のない人でも安心して風呂に入れることができる。
【産業上の利用可能性】
【００２０】
以上説明した本発明の介護用ジャケットは、介護現場のニーズに基づき発案されたもので、その製品化が待ち望まれており、現場での介護者の負荷を軽減し健康管理の向上に資するもので、その利用価値は極めて高いものである。
【図面の簡単な説明】
【００２１】
【図１】（ａ）本発明に係るジャケットの使用状態の前面斜視図、（ｂ）同背面図
【図２】同正面図
【図３】図１（ｂ）のＡ−Ａ断面図
【図４】図２のＢ−Ｂ断面図
【図５】本発明に係るジャケットの水中での使用状態図
【図６】同使用状態のうつ伏せ（ａ）から仰向け（ｂ）になる説明図
【符号の説明】
【００２２】
１０  介護用ジャケット
１１  前身ごろ
１１ａ  襟開き部分（前身ごろの）
１１ｂ  合わせ部分
１２  後身ごろ
１２ｂ  後身ごろのショルダーベルト部分
１２ｋ  後身ごろ肩部
１２ｗ  後身ごろ脇
１３  後襟部
１４  後頭部保護カバー
１５  開口部
１６  浮き袋
１７  浮き枕
１８  水抜き孔
１９ａ  ベルト（後襟部の）
１９ｂ  ベルト（前身ごろ下端の）
２０ａ  係止部材（後襟部の）
２０ｂ  係止部材（前身ごろ下端の）
２１  ジッパー
２２  別素材のシート（後頭部保護カバーの）
【図１】
2005034486.tif 000003
【図２】
2005034486.tif 000004
【図３】
2005034486.tif 000005
【図４】
2005034486.tif 000006
【図５】
2005034486.tif 000007
【図６】
2005034486.tif 000008